【手続補正書】
【提出日】令和2年4月3日(2020.4.3)
【手続補正１】
【補正対象書類名】特許請求の範囲
【補正対象項目名】全文
【補正方法】変更
【補正の内容】
【特許請求の範囲】
【請求項１】
複数の画素が行列状に配置された画素領域と、
前記画素領域から読み出された画像信号を処理する複数の処理手段と、
複数の異なる画素密度かつ不均一な画素パターンで前記複数の画素から読み出しを行う複数の読み出し画素パターンを生成する生成手段と、
前記画素領域を分割した複数の分割領域それぞれに対して、前記複数の画素密度のいずれかを設定する設定手段と、
前記設定手段により設定された画素密度に対応した読み出し画素パターンで前記複数の分割領域それぞれから画像信号を読み出すように制御する制御手段と、を有し、
前記設定手段は、前記複数の分割領域のうち、より高い画質で撮影を行う分割領域の画素密度がより低くなるように、前記複数の分割領域それぞれに対して画素密度を設定することを特徴とする撮像システム。
【請求項２】
前記制御手段は、前記複数の分割領域それぞれの読み出し画素パターンに基づいて、前記画素領域から信号を読み出さない画素に対応する前記処理手段の供給電力を低下させる制御手段を更に有することを特徴とする請求項１に記載の撮像システム。
【請求項３】
前記複数の処理手段は、列毎に設けられていることを特徴とする請求項１または２に記載の撮像システム。
【請求項４】
前記複数の処理手段は、画素毎に設けられていることを特徴とする請求項１または２に記載の撮像システム。
【請求項５】
前記処理手段は、増幅手段及びアナログデジタル変換手段の少なくともいずれかを有することを特徴とする請求項１乃至４のいずれか１項に記載の撮像システム。
【請求項６】
被写体を検出する検出手段を更に有し、
前記設定手段は、前記検出手段による被写体の検出結果に基づいて、より高い画質で撮影を行う分割領域を設定することを特徴とする請求項１乃至５のいずれか１項に記載の撮像システム。
【請求項７】
動体を検出する検出手段を更に有し、
前記設定手段は、前記検出手段による動体の検出結果に基づいて、より高い画質で撮影を行う分割領域を設定することを特徴とする請求項１乃至５のいずれか１項に記載の撮像システム。
【請求項８】
撮影画像の周波数を検出する検出手段を更に有し、
前記設定手段は、前記撮影画像の周波数に基づいて、より高い画質で撮影を行う分割領域を設定することを特徴とする請求項１乃至５のいずれか１項に記載の撮像システム。
【請求項９】
焦点状態を検出する検出手段を更に有し、
前記設定手段は、前記検出手段による焦点状態の検出結果に基づいて、より高い画質で撮影を行う分割領域を設定することを特徴とする請求項１乃至５のいずれか１項に記載の撮像システム。
【請求項１０】
前記設定手段は、ユーザにより指定された分割領域に基づいて、より高い画質で撮影を行う分割領域を設定することを特徴とする請求項１乃至５のいずれか１項に記載の撮像システム。
【請求項１１】
前記生成手段は、擬似乱数列と、前記画素密度に応じて異なる閾値とを用いて、前記読み出し画素パターンを生成することを特徴とする請求項１乃至１０のいずれか１項に記載の撮像システム。
【請求項１２】
少なくとも２つ以上の撮影モードを備え、前記設定手段は、前記撮影モードに応じて、前記画素密度の種類の数と、前記画素密度とを決定することを特徴とする請求項１乃至１１のいずれか１項に記載の撮像システム。
【請求項１３】
前記画素領域は、予め決められた色配列に従って配置されるカラーフィルタをさらに備え、
前記生成手段は、前記色配列単位で、読み出し画素パターンを生成することを特徴とする請求項１乃至１２のいずれか１項に記載の撮像システム。
【請求項１４】
前記生成手段は、フレームごとに異なる読み出し画素パターンを生成することを特徴とする請求項１乃至１３のいずれか１項に記載の撮像システム。
【請求項１５】
前記異なる読み出し画素パターンに基づいて読み出した複数フレームの画像に基づいて、前記画素領域のすべての画素の信号に相当する復元画像を生成する復元手段をさらに備えることを特徴とする請求項１４に記載の撮像システム。
【請求項１６】
前記生成手段は、擬似乱数列と、前記画素密度に応じて異なる閾値とを用いて、前記読み出し画素パターンを生成し、
前記復元手段は、前記生成手段と同じ擬似乱数列を生成する手段を備えることを特徴とする請求項１５に記載の撮像システム。
【請求項１７】
複数の画素が行列状に配置された画素領域と、
前記画素領域から読み出された画像信号を処理する複数の処理手段と、
複数の異なる画素密度かつ不均一な画素パターンで前記複数の画素から読み出しを行う複数の読み出し画素パターンを生成する生成手段と、
前記画素領域を分割した複数の分割領域それぞれに対して、前記複数の画素密度のいずれかを設定する設定手段と、
前記設定手段により設定された画素密度に対応した読み出し画素パターンで前記複数の分割領域それぞれから画像信号を読み出すように制御する制御手段と、を有し、
前記制御手段は、前記複数の分割領域それぞれの読み出し画素パターンに基づいて、前記画素領域から信号を読み出さない画素に対応する前記処理手段の供給電力を低下させることを特徴とする撮像システム。
【請求項１８】
複数の画素が行列状に配置された画素領域と、前記画素領域から読み出された画像信号を処理する複数の処理手段と、複数の異なる画素密度かつ不均一な画素パターンで前記複数の画素から読み出しを行う複数の読み出し画素パターンを生成する生成手段と、を有する撮像システムの制御方法であって、
前記画素領域を分割した複数の分割領域それぞれに対して、複数の異なる画素密度のいずれかを設定し、
前記設定された画素密度に対応した読み出し画素パターンで前記複数の分割領域それぞれから画像信号を読み出すように制御し、
前記複数の分割領域のうち、より高い画質で撮影を行う分割領域の画素密度がより高くなるように、前記複数の分割領域それぞれに対して画素密度を設定することを特徴とする撮像システムの制御方法。
【請求項１９】
複数の画素が行列状に配置された画素領域と、前記画素領域から読み出された画像信号を処理する複数の処理手段と、複数の異なる画素密度かつ不均一な画素パターンで前記複数の画素から読み出しを行う読み出し画素パターンを生成する生成手段と、を有する撮像システムの制御方法であって、
前記画素領域を分割した複数の分割領域それぞれに対して、前記複数の異なる画素密度のいずれかを設定し、
前記設定された画素密度に対応した読み出し画素パターンで前記複数の分割領域それぞれから画像信号を読み出すように制御し、
前記複数の分割領域それぞれの読み出し画素パターンに基づいて、前記画素領域から信号を読み出さない画素に対応する前記処理手段の供給電力を低下させることを特徴とする撮像システムの制御方法。
【手続補正２】
【補正対象書類名】明細書
【補正対象項目名】発明の名称
【補正方法】変更
【補正の内容】
【発明の名称】撮像システム及び撮像システムの制御方法
【手続補正３】
【補正対象書類名】明細書
【補正対象項目名】０００１
【補正方法】変更
【補正の内容】
【０００１】
本発明は、撮像システム及び撮像システムの制御方法に関するものである。
【手続補正４】
【補正対象書類名】明細書
【補正対象項目名】０００７
【補正方法】変更
【補正の内容】
【０００７】
上記目的を達成するために、本発明の撮像システムは、複数の画素が行列状に配置された画素領域と、前記画素領域から読み出された画像信号を処理する複数の処理手段と、複数の異なる画素密度かつ不均一な画素パターンで前記複数の画素から読み出しを行う複数の読み出し画素パターンを生成する生成手段と、前記画素領域を分割した複数の分割領域それぞれに対して、前記複数の画素密度のいずれかを設定する設定手段と、前記設定手段により設定された画素密度に対応した読み出し画素パターンで前記複数の分割領域それぞれから画像信号を読み出すように制御する制御手段と、を有し、前記設定手段は、前記複数の分割領域のうち、より高い画質で撮影を行う分割領域の画素密度がより低くなるように、前記複数の分割領域それぞれに対して画素密度を設定する。
【手続補正５】
【補正対象書類名】明細書
【補正対象項目名】００８２
【補正方法】変更
【補正の内容】
【００８２】
図２４に、第５の実施形態の撮像装置における動画撮影時の処理の流れを説明するフローチャートを示す。なお、図２４において、第１の実施形態で説明した図１２と同様の処理には同じステップ番号を付し、説明を省略する。Ｓ２４０１では、焦点検出部２２０１において、位相差検出方式などを用いて被写体像の焦点検出を行う。Ｓ２４０２では、Ｓ２４０１の焦点検出結果に応じて、圧縮パラメータを設定する。なお、Ｓ２４０１の焦点検出結果を基にレンズを駆動させた場合は、レンズ駆動によるデフォーカス量の変化を加味して圧縮率を設定すればよい。そして、この圧縮パラメータを用いて、Ｓ１２０４では、撮像素子１００から圧縮画像データを出力する。
【手続補正６】
【補正対象書類名】明細書
【補正対象項目名】００８５
【補正方法】変更
【補正の内容】
【００８５】
図２５は、第６の実施形態における撮像システムの全体構成を示すブロック図である。第６の実施形態における撮像システムは、撮像装置である画像送信装置２５０１と、画像受信装置２５０２から構成される。なお、画像送信装置２５０１及び画像受信装置２５０２において、第１の実施形態で説明した図１と同様の構成には同じ参照番号を付し、説明を省略する。
【手続補正７】
【補正対象書類名】明細書
【補正対象項目名】００８６
【補正方法】変更
【補正の内容】
【００８６】
撮像素子１００は、撮影レンズ１０２で結像された被写体の光学像を光電変換して信号として取り込むものであり、第１及び第２の実施形態で説明した撮像素子１００と同様の構成を有する。撮像素子１００の読み出しパターン生成部４０６は、画像受信装置２５０２から送信された分割領域毎の圧縮率情報及びシード値を含む圧縮パラメータを基に読み出しパターンを生成する。撮像素子１００は生成した読み出しパターンに基づいて圧縮画像データを出力する。メモリ部２５０５は、撮影された圧縮画像データを一時的に記憶する。全体制御・演算部２５０３は、画像受信装置２５０２から送信された撮影命令やＩＳＯ感度や露光時間、絞り値等を含む撮影パラメータに基づいて、撮像素子１００やレンズ駆動部１０３を制御する。また、画像受信装置２５０２から送信された圧縮パラメータを撮像素子１００に送出する。
【手続補正８】
【補正対象書類名】図面
【補正対象項目名】図２４
【補正方法】変更
【補正の内容】
【図２４】
2018182543.tif 000001
【手続補正９】
【補正対象書類名】図面
【補正対象項目名】図２５
【補正方法】変更
【補正の内容】
【図２５】
2018182543.tif 000002